【手続補正書】
【提出日】平成20年7月8日(2008.7.8)
【手続補正１】
【補正対象書類名】明細書
【補正対象項目名】発明の名称
【補正方法】変更
【補正の内容】
【発明の名称】多視点映像表示装置、多視点映像撮像装置、及び多視点映像生成装置
【手続補正２】
【補正対象書類名】特許請求の範囲
【補正対象項目名】全文
【補正方法】変更
【補正の内容】
【特許請求の範囲】
【請求項１】
Ｎ個（Ｎは４以上の自然数）の視点の画像を表示する多視点映像表示装置において、
配置間隔が中央部に比較して周辺部が粗になるように設けられたＮ個の撮像手段により撮像されたＮ枚の撮像画像を構成する各画素を、水平及び垂直方向に等間隔に配列された複数の画素表示素子からなる表示画面上に同時に表示する表示手段であり、前記Ｎ枚の撮像画像において互いに略同一の位置に位置するＮ個の画素を、前記撮像手段の配置の順序に対応する配列で前記画素表示素子に表示する処理を、前記Ｎ枚の撮像画像の各画素に対して実行することで、前記Ｎ枚の撮像画像を前記表示画面上に同時に表示する表示手段と、
前記表示手段によって前記表示画面上に同時に表示された前記Ｎ枚の撮像画像の前記Ｎ個の画素ごとに、このＮ個の画素の表示による出射光を、前記Ｎ個の撮像手段の配置に対応した位置間隔になるように偏向させる光偏向手段とを、
備えたことを特徴とする多視点映像表示装置。
【請求項２】
Ｎ個（Ｎは４以上の自然数）の視点の画像を表示する多視点映像表示装置において、
配置間隔が中央部に比較して周辺部が粗になるように仮想的に設けられたＮ個の撮像手段により撮像されたＮ枚の撮像画像と等価になるように生成されたＮ枚の生成画像を構成する各画素を、水平及び垂直方向に等間隔に配列された複数の画素表示素子からなる表示画面上に同時に表示する表示手段であり、前記Ｎ枚の生成画像において互いに略同一の位置に位置するＮ個の画素を、前記仮想的に設けられたＮ個の撮像手段の配置の順序に対応する配列で前記画素表示素子に表示する処理を、前記Ｎ枚の生成画像の各画素に対して実行することで、前記Ｎ枚の生成画像を前記表示画面上に同時に表示する表示手段と、
前記表示手段によって前記表示画面上に同時に表示された前記Ｎ枚の生成画像の前記Ｎ個の画素ごとに、このＮ個の画素の表示による出射光を、前記仮想的に設けられたＮ個の撮像手段の配置に対応した位置間隔になるように偏向させる光偏向手段とを、
備えたことを特徴とする多視点映像表示装置。
【請求項３】
前記光偏向手段は、前記Ｎ個の画素の表示による出射光を、水平・垂直・斜め方向に偏向させるレンズアレイであることを特徴とする請求項１又は２記載の多視点映像表示装置。
【請求項４】
前記光偏向手段は、前記Ｎ個の画素の表示による出射光を、水平方向に偏向させるレンチキュラシートであることを特徴とする請求項１又は２記載の多視点映像表示装置。
【請求項５】
配置間隔が中央部に比較して周辺部が粗になるように設けられた、Ｎ個（Ｎは４以上の自然数）の視点の画像を撮像するＮ個の撮像手段を有することを特徴とする多視点映像撮像装置。
【請求項６】
配置間隔が中央部に比較して周辺部が粗になるように設けられた、Ｎ個（Ｎは４以上の自然数）の視点の画像を撮像するＮ個の撮像手段によって撮像された画像と等価となるＮ枚の画像を生成する生成手段を有することを特徴とする多視点映像生成装置。
【手続補正３】
【補正対象書類名】明細書
【補正対象項目名】０００１
【補正方法】変更
【補正の内容】
【０００１】
本発明は、観察者の視点に応じて異なる視点からの画像を表示する多視点映像表示装置と、この多視点映像表示装置に表示する多視点映像を撮像する多視点映像撮像装置、及び多視点映像を生成する多視点映像生成装置に関する。
【手続補正４】
【補正対象書類名】明細書
【補正対象項目名】０００８
【補正方法】変更
【補正の内容】
【０００８】
本発明は上記従来技術の問題点に鑑み、解像度、視点数を増やすことなく、観察する際に特に重要な中央部の運動視差を滑らかにすることができるとともに、メインローブ内の視域角（幅）を広げることができる多視点映像表示装置と、この多視点映像表示装置に表示する多視点映像を撮像する多視点映像撮像装置、及び多視点映像を生成する多視点映像生成装置を提供することを目的とする。
【手続補正５】
【補正対象書類名】明細書
【補正対象項目名】０００９
【補正方法】変更
【補正の内容】
【０００９】
本発明は上記目的を達成するために、Ｎ個（Ｎは４以上の自然数）の視点の画像を表示する多視点映像表示装置において、
配置間隔が中央部に比較して周辺部が粗になるように設けられたＮ個の撮像手段により撮像されたＮ枚の撮像画像を構成する各画素を、水平及び垂直方向に等間隔に配列された複数の画素表示素子からなる表示画面上に同時に表示する表示手段であり、前記Ｎ枚の撮像画像において互いに略同一の位置に位置するＮ個の画素を、前記撮像手段の配置の順序に対応する配列で前記画素表示素子に表示する処理を、前記Ｎ枚の撮像画像の各画素に対して実行することで、前記Ｎ枚の撮像画像を前記表示画面上に同時に表示する表示手段と、
前記表示手段によって前記表示画面上に同時に表示された前記Ｎ枚の撮像画像の前記Ｎ個の画素ごとに、このＮ個の画素の表示による出射光を、前記Ｎ個の撮像手段の配置に対応した位置間隔になるように偏向させる光偏向手段とを、
有することを特徴とする。
また、Ｎ個（Ｎは４以上の自然数）の視点の画像を表示する多視点映像表示装置において、
配置間隔が中央部に比較して周辺部が粗になるように仮想的に設けられたＮ個の撮像手段により撮像されたＮ枚の撮像画像と等価になるように生成されたＮ枚の生成画像を構成する各画素を、水平及び垂直方向に等間隔に配列された複数の画素表示素子からなる表示画面上に同時に表示する表示手段であり、前記Ｎ枚の生成画像において互いに略同一の位置に位置するＮ個の画素を、前記仮想的に設けられたＮ個の撮像手段の配置の順序に対応する配列で前記画素表示素子に表示する処理を、前記Ｎ枚の生成画像の各画素に対して実行することで、前記Ｎ枚の生成画像を前記表示画面上に同時に表示する表示手段と、
前記表示手段によって前記表示画面上に同時に表示された前記Ｎ枚の生成画像の前記Ｎ個の画素ごとに、このＮ個の画素の表示による出射光を、前記仮想的に設けられたＮ個の撮像手段の配置に対応した位置間隔になるように偏向させる光偏向手段とを、
備えたことを特徴とする。
【手続補正６】
【補正対象書類名】明細書
【補正対象項目名】００１０
【補正方法】変更
【補正の内容】
【００１０】
また、本発明は上記目的を達成するために、前記光偏向手段として水平・垂直・斜め方向に偏向させるレンズアレイ、又は水平方向に偏向させるレンチキュラシートを、備えたことを特徴とする。
また、配置間隔が中央部に比較して周辺部が粗になるように設けられた、Ｎ個（Ｎは４以上の自然数）の視点の画像を撮像したものと等価となるＮ枚の画像を生成する多視点映像生成装置において、
の視点の画像を撮像するＮ個の撮像手段を有することを特徴とする。
更に、Ｎ個（Ｎは４以上の自然数）の視点の画像を撮像したものと等価となるＮ枚の画像を生成する多視点映像生成装置において、
配置間隔が中央部に比較して周辺部が粗になるように設けられた、Ｎ個（Ｎは４以上の自然数）の視点の画像を撮像するＮ個の撮像手段によって撮像された画像と等価となるＮ枚の画像を生成する生成手段を有することを特徴とする。